(57)【要約】【課題】冷気の分配等を効率よく行うことのできるダンパ装置を提供すること。【解決手段】ダンパ装置１では、第１開口部２１が形成された第１フレーム２と、第２開口部３１が形成された第２フレーム３とが設けられ、第１フレーム２と第２フレーム３とを連結するケース４の内部には、第１開口部２１を開閉するための第１バッフル６、および第２開口部３１を開閉するための第２バッフル７を駆動する駆動機構５が設けられている。このため、第１開口部２１を含む流路、および第２開口部３１を含む流路に対する冷気の分配等を効率よく行うことができる。また、第１開口部２１の周りに第１ヒータ８が設けられ、第２開口部３１の周りに第２ヒータ９が設けられているため、第１バッフル６と第１フレーム２との氷結、および第２バッフル７と第２フレーム３との氷結の双方を抑制することができる。【選択図】図３
2018025338.tif 000002
【特許請求の範囲】
【請求項１】
第１開口部が形成された第１フレームと、
第２開口部が形成された第２フレームと、
前記第１フレームと前記第２フレームとを連結するケースと、
第１軸線回りに回転して前記第１開口部を開閉するための第１バッフルと、
第２軸線回りに回転して前記第２開口部を開閉するための第２バッフルと、
前記ケースの内部に設けられ、前記第１バッフルおよび前記第２バッフルを回転駆動する駆動機構と、
前記第１フレームまたは前記第１バッフルにおいて前記第１開口部の周りに設けられた第１ヒータと、
前記第２フレームまたは前記第２バッフルにおいて前記第２開口部の周りに設けられた第２ヒータと、
を有することを特徴とするダンパ装置。
【請求項２】
前記第１ヒータの端子である第１端子に接続された第１リード線、および前記第２ヒータの端子である第２端子に接続された第２リード線は、前記ケースの外側で前記ケース、前記第１フレームまたは前記第２フレームに保持されていることを特徴とする請求項１に記載のダンパ装置。
【請求項３】
前記第１ヒータは、前記第１フレームに設けられ、
前記第２ヒータは、前記第２フレームに設けられていることを特徴とする請求項２に記載のダンパ装置。
【請求項４】
前記第１端子は、前記第１開口部に対して前記ケースの側に設けられ、
前記第２端子は、前記第２開口部に対して前記ケースの側に設けられていることを特徴とする請求項３に記載のダンパ装置。
【請求項５】
前記第１リード線は、前記ケースと前記第１バッフルとの間を通って延在し、
前記第２リード線は、前記ケースと前記第２バッフルとの間を通って延在していることを特徴とする請求項４に記載のダンパ装置。
【請求項６】
前記ケースにおいて前記第１フレームが位置する側には、前記第１リード線を保持可能な第１切り欠きが設けられ、
前記ケースにおいて前記第２フレームが位置する側には、前記第２リード線を保持可能な第２切り欠きが設けられていることを特徴とする請求項２から５までのいずれか一項に記載のダンパ装置。
【請求項７】
前記ケースにおいて前記第１フレームが位置する側には、前記第１軸線に対して直交する方向の一方側の端部に前記第１切り欠きが設けられ、
前記ケースにおいて前記第２フレームが位置する側には、前記第２軸線に対して直交する方向の一方側の端部に前記第２切り欠きが設けられていることを特徴とする請求項６に記載のダンパ装置。
【請求項８】
前記ケースにおいて前記第１フレームが位置する側には、前記第１軸線に対して直交する方向の一方側および他方側の端部の各々に前記第１切り欠きが設けられ、
前記ケースにおいて前記第２フレームが位置する側には、前記第２軸線に対して直交する方向の一方側および他方側の端部の各々に前記第２切り欠きが設けられていることを特徴とする請求項６に記載のダンパ装置。
【請求項９】
前記第１リード線は、前記第１軸線に対して直交する方向の一方側に設けられた前記第１切り欠きに保持され、
前記第２リード線は、前記第１軸線に対して直交する方向の他方側に設けられた前記第２切り欠きに保持されていることを特徴とする請求項８に記載のダンパ装置。
【請求項１０】
前記ケース、前記第１フレームまたは前記第２フレームには、前記第１リード線において前記第１切り欠きに保持されている部分から前記第１端子とは反対側に延在している部分、および前記第２リード線において前記第２切り欠きに保持されている部分から前記第２端子とは反対側に延在している部分を保持する貼付部材が貼付されていることを特徴とする請求項６から９までのいずれか一項に記載のダンパ装置。
【請求項１１】
前記ケース、前記第１フレームまたは前記第２フレームには、前記第１リード線において前記第１切り欠きに保持されている部分から前記第１端子とは反対側に延在している部分を保持する第１貼付部材が貼付され、
前記ケース、前記第１フレームまたは前記第２フレームには、前記第２リード線において前記第２切り欠きに保持されている部分から前記第２端子とは反対側に延在している部分を保持する第２貼付部材が貼付されていることを特徴とする請求項６から９までのいずれか一項に記載のダンパ装置。
【請求項１２】
前記ケース、前記第１フレーム、または前記第２フレームには、前記第１リード線において前記第１切り欠きに保持されている部分から前記第１端子とは反対側に延在している部分、および前記第２リード線において前記第２切り欠きに保持されている部分から前記第２端子とは反対側に延在している部分を保持するフックが設けられていることを特徴とする請求項６から９までのいずれか一項に記載のダンパ装置。
【請求項１３】
前記ケース、前記第１フレーム、または前記第２フレームには、前記第１リード線において前記第１切り欠きに保持されている部分から前記第１端子とは反対側に延在している部分を保持する第１フックが設けられ、
前記ケース、前記第１フレーム、または前記第２フレームには、前記第２リード線において前記第２切り欠きに保持されている部分から前記第２端子とは反対側に延在している部分を保持する第２フックが設けられていることを特徴とする請求項６から９までのいずれか一項に記載のダンパ装置。
【請求項１４】
前記ケース、前記第１フレームまたは前記第２フレームには、前記第１リード線において前記第１端子から延在している部分、および前記第２リード線において前記第２端子から延在している部分を保持する貼付部材が貼付されていることを特徴とする請求項２から５までのいずれか一項に記載のダンパ装置。
【請求項１５】
前記ケース、前記第１フレームまたは前記第２フレームには、前記第１リード線において前記第１端子から延在している部分を保持する第１貼付部材が貼付され、
前記ケース、前記第１フレームまたは前記第２フレームには、前記第２リード線において前記第２端子から延在している部分を保持する第２貼付部材が貼付されていることを特徴とする請求項２から５までのいずれか一項に記載のダンパ装置。
【請求項１６】
前記ケース、前記第１フレームまたは前記第２フレームには、前記第１リード線において前記第１端子から延在している部分、および前記第２リード線において前記第２端子から延在している部分を保持するフックが設けられていることを特徴とする請求項２から５までのいずれか一項に記載のダンパ装置。
【請求項１７】
前記ケース、前記第１フレームまたは前記第２フレームには、前記第１リード線におい
て前記第１端子から延在している部分を保持する第１フックが設けられ、
前記ケース、前記第１フレームまたは前記第２フレームには、前記第２リード線において前記第２端子から延在している部分を保持する第２フックが設けられていることを特徴とする請求項２から５までのいずれか一項に記載のダンパ装置。
【請求項１８】
前記貼付部材は、テープであることを特徴とする請求項１０または１４に記載のダンパ装置。
【請求項１９】
前記第１貼付部材および前記第２貼付部材はいずれもテープであることを特徴とする請求項１１または１５に記載のダンパ装置。
【請求項２０】
前記第１フレームにおいて前記ヒータが設けられている面を第１基準面としたとき、前記第１切り欠きは、前記第１端子および前記第１軸線より前記第１基準面から離間した位置に設けられ、
前記第２フレームにおいて前記第２ヒータが設けられている面を第２基準面としたとき、前記第２切り欠きは、前記第２端子および前記第２軸線より前記第２基準面から離間した位置に設けられていることを特徴とする請求項３から５までのいずれか一項に記載のダンパ装置。
【請求項２１】
前記第１端子は、前記第１フレームにおいて前記ヒータが設けられている面で起立する第１ピン端子を備え、
前記第２端子は、前記第２フレームにおいて前記ヒータが設けられている面で起立する第２ピン端子を備え、
前記第１切り欠きは、前記第１ピン端子の先端部および前記第１軸線より前記第１基準面から離間した位置に設けられ、
前記第２切り欠きは、前記第２ピン端子の先端部および前記第２軸線より前記第２基準面から離間した位置に設けられていることを特徴とする請求項２０に記載のダンパ装置。
【請求項２２】
前記第１リード線および前記第２リード線は互いに、前記ケースの異なる２つの面側で前記ケース、前記第１フレームまたは前記第２フレームに保持されていることを特徴とする請求項２から２１までのいずれか一項に記載のダンパ装置。
【請求項２３】
前記第１フレームは、前記ケースに対して前記第２フレームとは反対側に設けられ、
前記第１軸線と前記第２軸線とは同一の軸線上に位置することを特徴とする請求項１から２２までのいずれか一項に記載のダンパ装置。
【請求項２４】
前記第１ヒータと前記第２ヒータとは、同一構成のヒータを表裏反転または向きを変えて配置したものであることを特徴とする請求項１から２３までのいずれか一項に記載のダンパ装置。
【発明の詳細な説明】
【技術分野】
【０００１】
本発明は、冷蔵庫の冷気通路等に用いられるダンパ装置に関するものである。
【背景技術】
【０００２】
冷蔵庫の冷気通路等に用いられるダンパ装置は、例えば、駆動機構によってバッフルを駆動してフレームに形成された開口部を開閉する構造が提案されている。また、開口部の周囲で結露した水が凍ってフレームとバッフルとが氷結により吸着すると、バッフルを開方向に駆動できなくなる。そこで、フレームの開口部の周りに矩形枠状のヒータを設けることが提案されている（特許文献１参照）。
【先行技術文献】
【特許文献】
【０００３】
【特許文献１】特開２０１５−２０３５０５号公報
【発明の概要】
【発明が解決しようとする課題】
【０００４】
しかしながら、特許文献１に記載のダンパ装置は、開口部が形成されたフレームおよびバッフルからなる開閉部が１組しか設けられていないため、冷蔵庫の複数の部位に冷気を分配して送ることが困難である。
【０００５】
以上の問題点に鑑みて、本発明の課題は、冷気の分配等を効率よく行うことのできるダンパ装置を提供することにある。
【課題を解決するための手段】
【０００６】
上記課題を解決するために、本発明に係るダンパ装置は、第１開口部が形成された第１フレームと、第２開口部が形成された第２フレームと、前記第１フレームと前記第２フレームとを連結するケースと、第１軸線回りに回転して前記第１開口部を開閉するための第１バッフルと、第２軸線回りに回転して前記第２開口部を開閉するための第２バッフルと、前記ケースの内部に設けられ、前記第１バッフルおよび前記第２バッフルを回転駆動する駆動機構と、前記第１フレームまたは前記第１バッフルにおいて前記第１開口部の周りに設けられた第１ヒータと、前記第２フレームまたは前記第２バッフルにおいて前記第２開口部の周りに設けられた第２ヒータと、を有することを特徴とする。
【０００７】
本発明においては、第１開口部が形成された第１フレームと、第２開口部が形成された第２フレームとが設けられ、第１フレームと第２フレームとを連結するケースの内部には、第１開口部を開閉するための第１バッフル、および第２開口部を開閉するための第２バッフルを駆動する駆動機構が設けられている。このため、１台のダンパ装置において、第１開口部を含む流路、および第２開口部を含む流路に対する冷気の分配等を効率よく行うことができる。また、第１開口部の周りに第１ヒータが設けられ、第２開口部の周りに第２ヒータが設けられているため、第１バッフルと第１フレームとの氷結、および第２バッフルと第２フレームとの氷結の双方を抑制することができる。このため、１台のダンパ装置において、第１開口部を含む流路、および第２開口部を含む流路に対する冷気の分配等を効率よく行うことができる。
【０００８】
本発明において、前記第１ヒータの端子である第１端子に接続された第１リード線、および前記第２ヒータの端子である第２端子に接続された第２リード線は、前記ケースの外側で前記ケース、前記第１フレームまたは前記第２フレームに保持されている態様を採用
することができる。かかる態様によれば、駆動機構の配線が引き回されたケースの内部で第１リード線および第２リード線を引き回す必要がないので、リード線（第１リード線および第２リード線）の引き回しが容易である。
【０００９】
本発明において、前記第１ヒータは、前記第１フレームに設けられ、前記第２ヒータは、前記第２フレームに設けられている態様を採用することができる。
【００１０】
この場合、前記第１端子は、前記第１開口部に対して前記ケースの側に設けられ、前記第２端子は、前記第２開口部に対して前記ケースの側に設けられている態様を採用することができる。かかる態様によれば、第１リード線および第２リード線を纏める場合でも、第１リード線および第２リードが第１バッフルや第２バッフルと干渉することを回避しやすい。
【００１１】
また、本発明では、前記第１リード線は、前記ケースと前記第１バッフルとの間を通って引き回され、前記第２リード線は、前記ケースと前記第２バッフルとの間を通って引き回されている態様を採用することができる。かかる態様によれば、空きスペースを利用して第１リード線および第２リード線を引き回した場合でも、第１リード線と第１バッフルとの干渉、および第２リードと第２バッフルとの干渉を回避しやすい。
【００１２】
本発明において、前記ケースにおいて前記第１フレームが位置する側には、前記第１リード線を保持可能な第１切り欠きが設けられ、前記ケースにおいて前記第２フレームが位置する側には、前記第２リード線を保持可能な第２切り欠きが設けられている態様を採用することができる。かかる態様によれば、第１リード線および第２リードが第１バッフルや第２バッフルと干渉することを回避しやすい。
【００１３】
この場合、前記ケースにおいて前記第１フレームが位置する側には、前記第１軸線に対して直交する方向の一方側の端部に前記第１切り欠きが設けられ、前記ケースにおいて前記第２フレームが位置する側には、前記第２軸線に対して直交する方向の一方側の端部に前記第２切り欠きが設けられている態様を採用することができる。
【００１４】
本発明では、前記ケースにおいて前記第１フレームが位置する側には、前記第１軸線に対して直交する方向の一方側および他方側の端部の各々に前記第１切り欠きが設けられ、前記ケースにおいて前記第２フレームが位置する側には、前記第２軸線に対して直交する方向の一方側および他方側の端部の各々に前記第２切り欠きが設けられている態様を採用することができる。
【００１５】
この場合、前記第１リード線は、前記第１軸線に対して直交する方向の一方側に設けられた前記第１切り欠きに保持され、前記第２リード線は、前記第１軸線に対して直交する方向の他方側に設けられた前記第２切り欠きに保持されている態様を採用することができる。
【００１６】
本発明において、前記ケース、前記第１フレームまたは前記第２フレームには、前記第１リード線において前記第１切り欠きに保持されている部分から前記第１端子とは反対側に延在している部分、および前記第２リード線において前記第２切り欠きに保持されている部分から前記第２端子とは反対側に延在している部分を保持する貼付部材が貼付されている態様を採用することができる。かかる態様によれば、第１リード線および第２リードの引き回しが容易であるとともに、第１リード線および第２リード線が第１バッフルや第２バッフルと干渉することを回避しやすい。
【００１７】
本発明において、前記ケース、前記第１フレームまたは前記第２フレームには、前記第
１リード線において前記第１切り欠きに保持されている部分から前記第１端子とは反対側に延在している部分を保持する第１貼付部材が貼付され、前記ケース、前記第１フレームまたは前記第２フレームには、前記第２リード線において前記第２切り欠きに保持されている部分から前記第２端子とは反対側に延在している部分を保持する第２貼付部材が貼付されている態様を採用してもよい。かかる態様によれば、第１リード線および第２リードの引き回しが容易であるとともに、第１リード線および第２リード線が第１バッフルや第２バッフルと干渉することを回避しやすい。
【００１８】
本発明において、前記ケース、前記第１フレーム、または前記第２フレームには、前記第１リード線において前記第１切り欠きに保持されている部分から前記第１端子とは反対側に延在している部分、および前記第２リード線において前記第２切り欠きに保持されている部分から前記第２端子とは反対側に延在している部分を保持するフックが設けられている態様を採用することができる。かかる態様によれば、第１リード線および第２リードの引き回しが容易であるとともに、第１リード線および第２リード線が第１バッフルや第２バッフルと干渉することを回避しやすい。
【００１９】
本発明において、前記ケース、前記第１フレーム、または前記第２フレームには、前記第１リード線において前記第１切り欠きに保持されている部分から前記第１端子とは反対側に延在している部分を保持する第１フックが設けられ、前記ケース、前記第１フレーム、または前記第２フレームには、前記第２リード線において前記第２切り欠きに保持されている部分から前記第２端子とは反対側に延在している部分を保持する第２フックが設けられている態様を採用することができる。かかる態様によれば、第１リード線および第２リードの引き回しが容易であるとともに、第１リード線および第２リード線が第１バッフルや第２バッフルと干渉することを回避しやすい。
【００２０】
本発明において、前記ケース、前記第１フレームまたは前記第２フレームには、前記第１リード線において前記第１端子から延在している部分、および前記第２リード線において前記第２端子から延在している部分を保持する貼付部材が貼付されている態様を採用することができる。
【００２１】
本発明において、前記ケース、前記第１フレームまたは前記第２フレームには、前記第１リード線において前記第１端子から延在している部分を保持する第１貼付部材が貼付され、前記ケース、前記第１フレームまたは前記第２フレームには、前記第２リード線において前記第２端子から延在している部分を保持する第２貼付部材が貼付されている態様を採用してもよい。
【００２２】
本発明において、前記ケース、前記第１フレームまたは前記第２フレームには、前記第１リード線において前記第１端子から延在している部分、および前記第２リード線において前記第２端子から延在している部分を保持するフックが設けられている態様を採用することができる。
【００２３】
本発明において、前記ケース、前記第１フレームまたは前記第２フレームには、前記第１リード線において前記第１端子から延在している部分を保持する第１フックが設けられ、前記ケース、前記第１フレームまたは前記第２フレームには、前記第２リード線において前記第２端子から延在している部分を保持する第２フックが設けられている態様を採用してもよい。
【００２４】
本発明において、前記貼付部材は、テープである態様を採用することができる。また、本発明において、前記第１貼付部材および前記第２貼付部材はいずれもテープである態様を採用することができる。
【００２５】
本発明において、前記第１フレームにおいて前記ヒータが設けられている面を第１基準面としたとき、前記第１切り欠きは、前記第１端子および前記第１軸線より前記第１基準面から離間した位置に設けられ、前記第２フレームにおいて前記第２ヒータが設けられている面を第２基準面としたとき、前記第２切り欠きは、前記第２端子および前記第２軸線より前記第２基準面から離間した位置に設けられている態様を採用することができる。
【００２６】
この場合、前記第１端子は、前記第１フレームにおいて前記ヒータが設けられている面で起立する第１ピン端子を備え、前記第２端子は、前記第２フレームにおいて前記ヒータが設けられている面で起立する第２ピン端子を備え、前記第１切り欠きは、前記第１ピン端子の先端部および前記第１軸線より前記第１基準面から離間した位置に設けられ、前記第２切り欠きは、前記第２ピン端子の先端部および前記第２軸線より前記第２基準面から離間した位置に設けられている態様を採用することができる。かかる態様によれば、第１ヒータと第１バッフルとの干渉、および第２ヒータと第２バッフルとの干渉を抑制することができる。
【００２７】
本発明において、前記第１リード線および前記第２リード線は互いに、前記ケースの異なる２つの面側で前記ケース、前記第１フレームまたは前記第２フレームに保持されている態様を採用することができる。
【００２８】
本発明において、前記第１フレームは、前記ケースに対して前記第２フレームとは反対側に設けられ、前記第１軸線と前記第２軸線とは同一の軸線上に位置する態様を採用することができる。
【００２９】
本発明において、前記第１ヒータと前記第２ヒータとは、同一構成のヒータを表裏反転または向きを変えて配置したものである態様を採用することができる。かかる態様によれば、同一構成のヒータを第１ヒータあるいは第２ヒータとして用いることができるので、部品種類が少なく済む。
【発明の効果】
【００３０】
本発明においては、第１開口部が形成された第１フレームと、第２開口部が形成された第２フレームとが設けられ、第１フレームと第２フレームとを連結するケースの内部には、第１開口部を開閉するための第１バッフル、および第２開口部を開閉するための第２バッフルを駆動する駆動機構が設けられている。このため、１台のダンパ装置において、第１開口部を含む流路、および第２開口部を含む流路に対する冷気の分配等を行うことができる。また、第１開口部の周りに第１ヒータが設けられ、第２開口部の周りに第２ヒータが設けられているため、第１バッフルと第１フレームとの氷結、および第２バッフルと第２フレームとの氷結の双方を抑制することができる。このため、１台のダンパ装置において、第１開口部を含む流路、および第２開口部を含む流路に対する冷気の分配等を効率よく行うことができる。
【図面の簡単な説明】
【００３１】
【図１】本発明の実施の形態１に係るダンパ装置を第１軸線および第２軸線が位置する側からみた斜視図である。
【図２】図１に示すダンパ装置を第１軸線および第２軸線が位置する側とは反対側からみた斜視図である。
【図３】図１に示すダンパ装置において第１バッフルおよび第２バッフルを外した状態の分解斜視図である。
【図４】図１に示すダンパ装置において第１ヒータおよび第２ヒータを外した状態の分解斜視図である。
【図５】図１に示すダンパ装置における第１リード線および第２リード線等の引き回し構造を示す説明図である。
【図６】本発明の実施の形態２に係るダンパ装置における第１リード線および第２リード線等の引き回し構造を示す説明図である。
【図７】本発明の実施の形態３に係るダンパ装置における第１リード線および第２リード線等の引き回し構造を示す説明図である。
【図８】本発明の実施の形態４に係るダンパ装置において第１リード線および第２リード線を保持するフックの説明図である。
【図９】本発明の実施の形態５に係るダンパ装置に用いた第１ヒータおよび第２ヒータの平面図である。
【発明を実施するための形態】
【００３２】
以下、図面を参照して、本発明を適用した冷蔵庫用のダンパ装置について説明する。以下の説明では、第１バッフル６の回転中心軸線を第１軸線Ｌ１とし、第２バッフル７の回転中心軸線を第２軸線Ｌ２とし、第１軸線Ｌ１および第２軸線Ｌ２に沿う方向をＸ方向（第１方向）とし、第１開口部２１および第２開口部３１が向いている方向をＺ方向とし、Ｘ方向およびＺ方向に直交する方向をＹ方向（第２方向）として説明する。また、説明の便宜上、Ｘ方向の一方側をＸ１とし、Ｘ方向の他方側をＸ２とし、Ｙ方向の一方側をＹ１とし、Ｙ方向の他方側をＹ２とし、Ｚ方向の一方側をＺ１とし、Ｚ方向の他方側をＺ２として説明する。但し、Ｙ方向では、バッフルの回転中心線が位置する側をＹ方向の他方側とし、バッフルの回転中心線が位置する側をＹ方向の一方側としてもよい。
【００３３】
［実施の形態１］
（全体構成）
図１は、本発明の実施の形態１に係るダンパ装置１を第１軸線Ｌ１および第２軸線Ｌ２が位置する側からみた斜視図である。図２は、図１に示すダンパ装置１を第１軸線Ｌ１および第２軸線Ｌ２が位置する側とは反対側からみた斜視図である。図３は、図１に示すダンパ装置１において第１バッフル６および第２バッフル７を外した状態の分解斜視図である。図４は、図１に示すダンパ装置１において第１ヒータ８および第２ヒータ９を外した状態の分解斜視図である。なお、図１〜図４では、第１ヒータ８および第２ヒータ９に接続するリード線（第１リード線１１および第２リード線１２）や、駆動機構に接続するリード線１８の図示を省略してある。また、図１および図２では、第１バッフル６および第２バッフル７が第１開口部２１および第２開口部３１を閉状態とした様子を示してある。
【００３４】
図１、図２、図３および図４において、ダンパ装置１は、第１開口部２１が形成された第１フレーム２と、第２開口部３１が形成された第２フレーム３と、第１フレーム２と第２フレーム３とを連結するケース４とを有している。第１フレーム２、第２フレーム３、およびケース４は樹脂製である。また、ダンパ装置１は、第１軸線Ｌ１回りに回転して第１開口部２１を開閉するための第１バッフル６と、第２軸線Ｌ２回りに回転して第２開口部３１を開閉するための第２バッフル７と、ケース４の内部に設けられた駆動機構５とを有している。駆動機構５は、駆動源としてのモータ（図示せず）と、第１バッフル６を第１軸線Ｌ１周りに回転駆動する第１回転軸５１と、第２バッフル７を第２軸線Ｌ２周りに回転駆動する第２回転軸（図示せず）と、モータの回転を第１回転軸５１および第２回転軸に伝達する伝達機構（図示せず）とを有している。
【００３５】
本形態において、ケース４は略直方体であり、第１フレーム２は、ケース４に対して第２フレーム３とは反対側に設けられている。また、第１軸線Ｌ１と第２軸線Ｌ２とは、Ｙ方向の一方側Ｙ１でＸ方向に延在する同一の軸線上に位置する。
【００３６】
第１フレーム２は、矩形の第１開口部２１が形成された端板部２２と、端板部２２の縁
からＺ方向の他方側Ｚ２に突出した角筒部２３とを有している。端板部２２には、第１開口部２１の縁からＺ方向の他方側Ｚ２に突出した角枠状のシール板部２２０が形成されている。角筒部２３において、ケース４の側に位置する側板部２３１は、他の側板部２３２、２３３、２３４よりＺ方向の寸法が大であり、ケース４の側面４１に連結されている。また、側板部２３１は、ケース４からＹ方向の他方側Ｙ２に張り出した板部２３５を有している。角筒部２３において、Ｙ方向の一方側Ｙ１の側板部２３２は、Ｘ方向の一方側Ｘ１でケース４に沿ってＺ方向の他方側Ｚ２に向けて突出した板部２３６を有している。
【００３７】
第２フレーム３は、第１フレーム２と略同一の構成を有している。具体的には、第２フレーム３は、矩形の第２開口部３１が形成された端板部３２と、端板部３２の縁からＺ方向の他方側Ｚ２に突出した角筒部３３とを有している。端板部３２には、第２開口部３１の縁からＺ方向の他方側Ｚ２に突出した角枠状のシール板部３２０が形成されている。角筒部３３において、ケース４の側に位置する側板部３３１は、他の側板部３３２、３３３、３３４よりＺ方向の寸法が大であり、ケース４の側面４２に連結されている。また、側板部３３１は、ケース４からＹ方向の他方側Ｙ２に張り出した板部３３５を有している。角筒部３３において、Ｙ方向の一方側Ｙ１の側板部３３２は、Ｘ方向の他方側Ｘ２でケース４に沿ってＺ方向の他方側Ｚ２に向けて突出した板部３３６を有している。
【００３８】
第１バッフル６は、第１開口部２１よりサイズが大きな開閉板６０と、開閉板６０の第１開口部２１側（一方面）の面に保持された発泡ポリウレタン等からなるシート状の弾性部材６９とを有している。開閉板６０には、第１回転軸５１との連結部６１と、第１フレーム２に回転可能に支持される軸部６２とが形成されている。このように構成した第１バッフル６は、第１軸線周りＬ１の一方側に回転して弾性部材６９がシール板部２２０に当接した際、第１開口部２１を塞いだ閉状態となる。また、第１バッフル６は、第１軸線周りＬ１の他方側に回転して弾性部材６９がシール板部２２０から離間した際、第１開口部２１を開放した開状態となる。
【００３９】
第２バッフル７は、第１バッフル６と略同一の構成を有している。具体的には、第２バッフル７は、第２開口部３１よりサイズが大きな開閉板７０と、開閉板７０の第２開口部３１側（一方面）の面に保持された発泡ポリウレタン等からなるシート状の弾性部材７９とを有している。開閉板７０には、第２回転軸との連結部７１と、第２フレーム３に回転可能に支持される軸部７２とが形成されている。このように構成した第２バッフル７は、第２軸線周りＬ２の一方側に回転して弾性部材７９がシール板部３２０に当接した際、第２開口部３１を塞いだ閉状態となる。また、第２バッフル７は、第２軸線周りＬ２の他方側に回転して弾性部材７９がシール板部３２０から離間した際、第２開口部３１を開放した開状態となる。
【００４０】
かかるダンパ装置１は、冷気通路を構成するダクトの内側に配置される。ここで、冷気は、第１開口部２１に対して第１バッフル６が配置されている側とは反対側の共通流路から第１開口部２１を通って流れる。また、冷気は、第２開口部３１に対して第２バッフル７が配置されている側とは反対の共通流路から第２開口部３１を通って流れる。従って、冷気は、第１開口部２１を含む第１流路と、第２開口部３１を含む第２流路とに分配される。その際、第１バッフル６および第２バッフル７の開度を調整すれば、冷気の流量を調節することができる。なお、第１開口部２１および第２開口部３１に対して第１バッフル６および第２バッフル７が配置されている側から冷気が流れるように構成することもある。
【００４１】
（第１ヒータ８および第２ヒータ９の構成）
本形態のダンパ装置１において、第１フレーム２には、第１開口部２１の周りに第１ヒータ８が設けられている。本形態では、第１フレーム２の端板部２２において、第１開口
部２１（シール板部２２０）と角筒部２３とに挟まれた矩形の枠部２２５にシート状の第１ヒータ８が設けられている。第１ヒータ８は、例えば、図４に一点鎖線で示す抵抗体８１が可撓性の基板８２の一方面で基板８２の延在方向に沿って延在した構造になっており、抵抗体８１の両端に第１端子８３が形成されている。本形態において、第１端子８３は、基板８２に形成された第１ランド８３１と、第１ランド８３１からＺ方向の一方側Ｚ２に向けて起立した第１ピン端子８３２とからなる。ここで、基板８２および枠部２２５は、ケース４が位置する側の辺部分の幅が他の辺部分より広くなっており、第１端子８３は、基板８２において、第１開口部２１に対してケース４が位置する側に設けられている。なお、必要に応じて、抵抗体８１の表面には絶縁層（図示せず）が形成されている。本形態では、抵抗体８１を挟むように基板８２にフィルム状の絶縁層が積層されている。但し、第１端子８３は絶縁層から露出している。ここで、抵抗体８１は、例えば、第１端子８３が形成されている辺を除く３辺のうち、第１バッフル６の回転中心軸線付近の辺では直線状に延在し、他の２辺では蛇行するように延在している。すなわち、第１バッフル６の回転中心軸線に近い側より遠い側で抵抗体８１の形成密度が高くなっている。
【００４２】
このように構成した第１ヒータ８では、抵抗体８１を避けるように複数の穴８６が形成されている。また、枠部２２５には、穴８６に嵌る凸部２２６が形成されている。従って、穴８６に凸部２２６を嵌めて第１ヒータ８の位置決めを行った後、凸部２２６を加熱変形させれば、第１ヒータ８を第１フレーム２に固定することができる。
【００４３】
また、第２フレーム３でも、第１フレーム２と同様、第２開口部３１の周りに第２ヒータ９が設けられている。本形態では、第２フレーム３の端板部３２において、第２開口部３１（シール板部３２０）と角筒部３３とに挟まれた矩形の枠部３２５にシート状の第２ヒータ９が設けられている。本形態において、第２ヒータ９は、図４に一点鎖線で示す抵抗体９１が可撓性の基板９２の一方面で基板９２の延在方向に沿って延在した構造になっており、抵抗体９１の両端に第２端子９３が形成されている。本形態において、第２端子９３は、第１端子８３と同様、基板９２に形成された第２ランド９３１と、第２ランド９３１からＺ方向の一方側Ｚ２に向けて起立した第２ピン端子９３２とからなる。ここで、基板９２および枠部３２５は、ケース４が位置する側の辺部分の幅が他の辺部分より広くなっており、第２端子９３は、基板９２において、第２開口部３１に対してケース４が位置する側に設けられている。本形態では、抵抗体９１を挟むように基板９２にフィルム状の絶縁層が積層されている。但し、第２端子９３は絶縁層から露出している。ここで、抵抗体９１は、抵抗体８１と同様、第２端子９３が形成されている辺を除く３辺のうち、第２バッフル７の回転中心軸線付近の辺では直線状に延在し、他の２辺では蛇行するように延在している。すなわち、第２バッフル７の回転中心軸線に近い側より遠い側で抵抗体９１の形成密度が高くなっている。
【００４４】
第２ヒータ９でも、第１ヒータ８同様、抵抗体９１を避けるように複数の穴９６が形成されている。また、枠部３２５には、穴９６に嵌る凸部３２６が形成されている。従って、穴９６に凸部３２６を嵌めて第２ヒータ９の位置決めを行った後、凸部３２６を加熱変形させれば、第２ヒータ９を第２フレーム３に固定することができる。
（第１リード線１１および第２リード線１２等の構成）
図５は、図１に示すダンパ装置１における第１リード線１１および第２リード線１２等の引き回し構造を示す説明図である。
【００４５】
図５に示すように、本形態では、第１ヒータ８に給電するために、第１ヒータ８の２つの第１端子８３の第１ピン端子８３２の各々に第１リード線１１を接続するともに、２本の第１リード線１１を所定位置まで引き回してある。また、第２ヒータ９に給電するために、第２ヒータ９の２つの第２端子９３の第２ピン端子９３２の各々に第２リード線１２を接続するともに、２本の第２リード線１２を所定位置まで引き回してある。また、駆動
機構５にモータに対して給電するために、ケースから露出するコネクタ５３に対して４本のリード線１８をコネクタ１９を介して接続してある。
【００４６】
本形態では、第１リード線１１は、ケース４の内部に引き込まれずに、ケース４の外部において、ケース４、第１フレーム２または第２フレーム３に保持された状態で第１端子８３との接続位置からケース４と第１バッフル６との間を通って所定位置まで延在している。また、第２リード線１２も、第１リード線１１と同様、ケース４の内部に引き込まれずに、ケース４の外部において、ケース４、第１フレーム２または第２フレーム３に保持された状態で第２端子９３との接続位置からケース４と第２バッフル７との間を通って所定位置まで延在し、第１リード線１１と纏められている。そして、第１リード線１１、第２リード線、およびリード線１８は、Ｚ方向の一方側Ｚ１や他方側Ｚ２等に纏めて引き出される。
【００４７】
かかる構成を実現するにあたって、本形態では、ケース４において第１フレーム２が位置する側面４１の側には、２本の第１リード線１１を纏めて保持可能な第１切り欠き２３８が設けられている。本形態においては、ケース４において第１フレーム２が位置する側面４１の側に、第１軸線Ｌ１に対して直交するＹ方向の一方側Ｙ１の端部に第１切り欠き２３８が設けられている。より具体的には、第１フレーム２の側板部２３２に設けた板部２３６と側板部２３１との角には、Ｚ方向の一方側Ｚ１に向けて切り欠かれた第１切り欠き２３８が形成されており、２本の第１リード線１１は、第１切り欠き２３８に保持された状態でケース４のＹ方向の一方側Ｙ１に引き出されている。かかる第１切り欠き２３８は、第１フレーム２において第１ヒータ８が設けられている面を第１基準面としたとき、第１端子８３および第１軸線Ｌ１より第１基準面から離間した位置にある。本形態において、第１切り欠き２３８は、第１端子８３の第１ピン端子８３２の先端部（Ｚ方向の他方側Ｚ２の端部）および第１軸線Ｌ１より第１基準面から離間した位置にある。
【００４８】
ケース４、第１フレーム２または第２フレーム３には、第１リード線１１において第１切り欠き２３８に保持されている部分から第１端子８３とは反対側に延在している部分を保持するテープ等の第１貼付部材１６が貼付されている。本形態において、ケース４のＹ方向の一方側Ｙ１の側面４３に第１貼付部材１６が貼付されており、第１リード線１１において第１切り欠き２３８に保持されている部分から第１端子８３とは反対側に延在している部分は、第１貼付部材１６に保持された状態で所定位置まで引き回されている。なお、本形態では、第１貼付部材１６が第１フレーム２に貼付されていたが、第１貼付部材１６は、ケース４あるいは第２フレーム３に貼付されていてもよい。また、第１貼付部材１６は、ケース４、第１フレーム２および第２フレーム３に跨るように貼付されていてもよい。
【００４９】
また、ケース４において第２フレーム３が位置する側面４２の側には、２本の第２リード線１２を纏めて保持可能な第２切り欠き３３８が設けられている。本形態においては、ケース４において第２フレーム３が位置する側面４２の側には、第２軸線Ｌ２に対して直交するＹ方向の一方側Ｙ１の端部に第２切り欠き３３８が設けられている。より具体的には、第２フレーム３の側板部３３２に設けた板部３３６と側板部３３１との角には、Ｚ方向の一方側Ｚ１に向けて切り欠かれた第２切り欠き３３８が形成されており、２本の第２リード線１２は、第２切り欠き３３８に保持された状態でケース４のＹ方向の一方側Ｙ１に引き出されている。かかる第２切り欠き３３８は、第２フレーム３において第２ヒータ９が設けられている面を第２基準面としたとき、第２端子９３および第２軸線Ｌ２より第２基準面から離間した位置にある。本形態において、第２切り欠き３３８は、第２端子９３の第２ピン端子９３２の先端部（Ｚ方向の他方側Ｚ２の端部）および第２軸線Ｌ２より第２基準面から離間した位置にある。
【００５０】
ケース４、第１フレーム２または第２フレーム３には、第２リード線１２において第２切り欠き３３８に保持されている部分から第２端子９３とは反対側に延在している部分を保持するテープ等の第２貼付部材１７が貼付されている。本形態において、第２フレーム３のＹ方向の一方側Ｙ１に位置する板部３３６のＹ方向の一方側Ｙ１の面に第２貼付部材１７が貼付されており、第２リード線１２において第２切り欠き３３８に保持されている部分から第２端子９３とは反対側に延在している部分は、第２貼付部材１７に保持された状態で所定位置まで引き回されている。従って、第１リード線１１および第２リード線１２は、ケース４の同一の側（Ｙ方向の一方側Ｙ１）で保持されている。なお、本形態では、第２貼付部材１７が第２フレーム３に貼付されていたが、第２貼付部材１７は、ケース４あるいは第１フレーム２に貼付されていてもよい。また、第２貼付部材１７は、ケース４、第１フレーム２および第２フレーム３に跨るように貼付されていてもよい。
【００５１】
なお、本形態においては、ケース４において第１フレーム２が位置する側面４１の側には、第１軸線Ｌ１に対して直交するＹ方向の他方側Ｙ２の端部にも第１切り欠き２３９が設けられている。より具体的には、第１フレーム２の側板部２３１において、板部２３５によって形成された角には、Ｚ方向の一方側Ｚ１に向けて切り欠かれた第１切り欠き２３９が形成されている。かかる第１切り欠き２３９も、第１切り欠き２３８と同様、第１フレーム２において第１ヒータ８が設けられている面を第１基準面としたとき、第１端子８３および第１軸線Ｌ１より第１基準面から離間した位置にある。また、ケース４において第２フレーム３が位置する側面４２の側には、第２軸線Ｌ２に対して直交するＹ方向の他方側Ｙ２の端部にも第２切り欠き３３９が設けられている。より具体的には、第２フレーム３の側板部３３１において、板部３３５によって形成された角には、Ｚ方向の一方側Ｚ１に向けて切り欠かれた第２切り欠き３３９が形成されている。かかる第２切り欠き３３９も、第２切り欠き３３８と同様、第２フレーム３において第２ヒータ９が設けられている面を第２基準面としたとき、第２端子９３および第２軸線Ｌ２より第２基準面から離間した位置にある。従って、実施の形態３で後述すように、第１リード線１１および第２リード線１２を引き出す際、第１切り欠き２３８に代えて、第１切り欠き２３９によって第１リード線１１を保持してもよく、第２切り欠き３３８に代えて、第２切り欠き３３９によって第２リード線１２を保持してもよい。
【００５２】
（本形態の主な効果）
以上説明したように、本形態のダンパ装置１では、第１開口部２１が形成された第１フレーム２と、第２開口部３１が形成された第２フレーム３とが設けられ、第１フレーム２と第２フレーム３とを連結するケース４の内部には、第１開口部２１を開閉するための第１バッフル６、および第２開口部３１を開閉するための第２バッフル７を駆動する駆動機構５が設けられている。このため、１台のダンパ装置１において、第１開口部２１を含む流路、および第２開口部３１を含む流路に対する冷気の分配等を効率よく行うことができる。また、第１開口部２１の周りに第１ヒータ８が設けられ、第２開口部３１の周りに第２ヒータ９が設けられているため、第１バッフル６と第１フレーム２との氷結、および第２バッフル７と第２フレーム３との氷結の双方を抑制することができる。このため、１台のダンパ装置１において、第１開口部２１を含む流路、および第２開口部３１を含む流路に対する冷気の分配等を効率よく行うことができる。
【００５３】
また、第１ヒータ８の端子である第１端子８３に接続された第１リード線１１、および第２ヒータ９の端子である第２端子９３に接続された第２リード線１２は、ケース４の外側で、ケース４、第１フレーム２または第２フレーム３に保持された状態で引き回されている。このため、駆動機構５の配線が引き回されたケース４の内部で第１リード線１１および第２リード線１２を引き回す必要がないので、リード線（第１リード線１１および第２リード線１２）の引き回しが容易である。
【００５４】
また、第１端子８３はケース４の側に設けられ、第２端子９３はケース４の側に設けられているため、第１リード線１１および第２リード線１２を纏める場合でも、第１リード線１１および第２リード線１２が第１バッフル６や第２バッフル７と干渉することを回避しやすい。また、第１リード線１１は、ケース４と第１バッフル６との間を通って引き回され、第２リード線１２は、ケース４と第２バッフル７との間を通って引き回されているため、空きスペースを利用して第１リード線１１および第２リード線１２を引き回した場合でも、第１リード線１１と第１バッフル６との干渉、および第２リード線１２と第２バッフル７との干渉を回避しやすい。
【００５５】
また、ケース４において第１フレーム２が位置する側には、第１リード線１１を保持可能な第１切り欠き２３８が設けられ、ケース４において第２フレーム３が位置する側には、第２リード線１２を保持可能な第２切り欠き３３８が設けられている。また、第１切り欠き２３８は、第１フレーム２において第１ヒータ８が設けられている面を第１基準面としたとき、第１端子８３および第１軸線Ｌ１より第１基準面から離間した位置にある。また、第２切り欠き３３８は、第２フレーム３において第２ヒータ９が設けられている面を第２基準面としたとき、第２端子９３および第２軸線Ｌ２より第２基準面から離間した位置にある。さらに、第１リード線１１において第１切り欠き２３８に保持されている部分から第１端子８３とは反対側に延在している部分は、ケース４に貼付された第１貼付部材１６に保持された状態で所定位置まで引き回され、第２リード線１２において第２切り欠き３３８に保持されている部分から第２端子９３とは反対側に延在している部分は、第２フレーム３に貼付された第２貼付部材１７に保持された状態で所定位置まで引き回されている。従って、第１リード線１１と第１バッフル６との干渉、および第２リード線１２と第２バッフル７との干渉を回避しつつ、第１リード線１１および第２リード線１２を引き回すことが容易である。
【００５６】
［実施の形態２］
図６は、本発明の実施の形態２に係るダンパ装置１における第１リード線１１および第２リード線１２等の引き回し構造を示す説明図である。なお、本形態の基本的な構成は、実施の形態１と同様であるため、共通する部分には同一の符号を付してそれらの説明を省略する。
【００５７】
上記実施の形態では、テープ等の第１貼付部材１６によって第１リード線１１が第１フレーム２に保持され、テープ等の第２貼付部材１７によって第２リード線１２が第２フレーム３に保持されていた。これに対して、本形態では、図６に示すように、第１リード線１１において第１切り欠き２３８に保持されている部分から第１端子８３とは反対側に延在している部分、および第２リード線１２において第２切り欠き３３８に保持されている部分の双方が、ケース４、第１フレーム２または第２フレーム３に貼付された共通の貼付部材によって保持されている。例えば、第１リード線１１において第１切り欠き２３８に保持されている部分から第１端子８３とは反対側に延在している部分、および第２リード線１２において第２切り欠き３３８に保持されている部分の双方が、第２フレーム３に貼付された第２貼付部材１７によって保持されている。かかる構成によれば、貼付部材を貼付する作業が１回で済むという利点がある。
【００５８】
なお、第１リード線１１および第２リード線１２を保持する貼付部材は、ケース４や第１フレーム２に貼付されていてもよく、ケース４、第１フレーム２および第２フレーム３に跨るように貼付されていてもよい。
【００５９】
［実施の形態３］
図７は、本発明の実施の形態３に係るダンパ装置１における第１リード線１１および第２リード線１２等の引き回し構造を示す説明図である。なお、本形態の基本的な構成は、
実施の形態１と同様であるため、共通する部分には同一の符号を付してそれらの説明を省略する。
【００６０】
上記実施の形態では、第１リード線１１がＹ方向の一方側Ｙ１の第１切り欠き２３８に保持され、第２リード線１２がＹ方向の一方側Ｙ１の第２切り欠き３３８に保持されていた。これに対して、本形態では、図７に示すように、第１リード線１１がＹ方向の一方側Ｙ１の第１切り欠き２３８に保持されているのに対して、第２リード線１２は、Ｙ方向の他方側Ｙ２の第２切り欠き３３９に保持され、リード線１８とともにＺ方向の一方側Ｚ１や他方側Ｚ２等に纏めて引き出される。
【００６１】
この場合、第１リード線１１において第１切り欠き２３８に保持されている部分から第１端子８３とは反対側に延在している部分は、例えば、第１フレーム２に貼付された第１貼付部材１６によって保持される。また、第２リード線１２において第２切り欠き３３９に保持されている部分から第２端子９３とは反対側に延在している部分は、例えば、ケース４のＹ方向の他方側Ｙ２に貼付された第２貼付部材（図示せず）に保持される。従って、第１リード線１１および第２リード線１２は互いに、ケース４の異なる２つの面側でケース４、第１フレーム２または第２フレーム３に保持される。その際、ケース４のＹ方向の一方側Ｙ１から他方側Ｙ２に向けて延在する貼付部材によって第１リード線１１および第２リード線１２をケース４、第１フレーム２または第２フレーム３に保持された態様を採用してもよい。
【００６２】
このような形態によれば、第１リード線１１と第２リード線１２との重なりを抑制することができる等、第１リード線１１および第２リード線１２の引き回しが容易である。また、第１貼付部材１６および第２貼付部材を貼付する位置の自由度を高めることができる。
【００６３】
なお、図示を省略するが、第１リード線１１がＹ方向の他方側Ｙ２の第１切り欠き２３９に保持され、第２リード線１２がＹ方向の一方側Ｙ１の第２切り欠き３３８に保持されている態様を採用してもよい。この場合、第２リード線１２において第２切り欠き３３８に保持されている部分から第２端子９３とは反対側に延在している部分は、例えば、図５を参照して説明した第２貼付部材１７によって保持される。また、第１リード線１１において第１切り欠き２３９に保持されている部分から第１端子８３とは反対側に延在している部分は、例えば、ケース４のＹ方向の他方側Ｙ２に貼付された第１貼付部材（図示せず）に保持される。従って、第１リード線１１および第２リード線１２は互いに、ケース４の異なる２つの面側でケース４、第１フレーム２または第２フレーム３に保持される。その際も、ケース４のＹ方向の一方側Ｙ１から他方側Ｙ２に向けて延在する貼付部材によって第１リード線１１および第２リード線１２をケース４、第１フレーム２または第２フレーム３に保持された態様を採用してもよい。
【００６４】
［実施の形態４］
図８は、本発明の実施の形態４に係るダンパ装置１において第１リード線１１および第２リード線１２を保持するフックの説明図であり、図８（ａ）、（ｂ）、（ｃ）は、第１フック４８の説明図、第２フック４９の説明図、およびフックの形成位置を示す説明図である。なお、本形態の基本的な構成は、実施の形態１と同様であるため、共通する部分には同一の符号を付してそれらの説明を省略する。
【００６５】
上記実施の形態１では、第１リード線１１において第１切り欠き２３８に保持されている部分から第１端子８３とは反対側に延在している部分を第１貼付部材１６によって保持したが、第１貼付部材１６に代えて、図８（ａ）に示すように、ケース４や第１フレーム２または第２フレーム３に設けた第１フック４８によって、第１リード線１１において第
１切り欠き２３８に保持されている部分から第１端子８３とは反対側に延在している部分を保持してもよい。また、上記実施の形態１では、第２リード線１２において第２切り欠き３３８に保持されている部分から第２端子９３とは反対側に延在している部分を第２貼付部材１７によって保持したが、第２貼付部材１７に代えて、図８（ｂ）に示すように、ケース４や第１フレーム２または第２フレーム３に設けた第２フック４９によって、第２リード線１２において第２切り欠き３３８に保持されている部分から第２端子９３とは反対側に延在している部分を保持してもよい。
【００６６】
例えば、図７を参照して説明したように、第１リード線１１および第２リード線１２を引き回す場合、図８（ａ）、（ｂ）、（ｃ）に示すように、第１フレーム２の側板部２３１のＹ方向の一方側Ｙ１の端面に対して第１切り欠き２３８のＺ方向の他方側Ｚ２に第１フック４８を設け、第２フレーム３の側板部３３１のＹ方向の他方側Ｙ２の端面に対して第２切り欠き３３９のＺ方向の他方側Ｚ２に第２フック４９を設ける。かかる形態によれば、貼付部材によって第１リード線１１および第２リード線１２を保持する必要がない。なお、第１リード線１１および第２リード線１２を引き出す方向によっては、ケース４、第１フレーム２または第２フレーム３に設けたフック（例えば、第１フック４８または第２フック４９）によって、第１リード線１１および第２リード線１２を保持してもよい。
【００６７】
［実施の形態５］
図９は、本発明の実施の形態５に係るダンパ装置１に用いた第１ヒータ８および第２ヒータ９の平面図である。なお、本形態の基本的な構成は、実施の形態１と同様であるため、共通する部分には同一の符号を付してそれらの説明を省略する。
【００６８】
上記実施の形態１において、第１ヒータ８および第２ヒータ９では、抵抗体８１、９１の一部が蛇行していたが、図９に示すように、いずれの辺でも、抵抗体１１０が直線的に延在するヒータ１００を第１ヒータ８および第２ヒータ９として用いてもよい。この場合、抵抗体１１０の向きを考慮する必要がないので、同一構成のヒータ１００の向きを変えて第１ヒータ８および第２ヒータ９として用いることができる。
【００６９】
その場合、位置決め用の穴８６、９６として利用される穴１２０の位置等が第１ヒータ８と第２ヒータ９とにおいて逆になるが、それに応じて、図４等を参照して説明した凸部２２６、３２６の位置を適正化すれば、穴８６と凸部２２６とによる位置決め、および穴９６と凸部３２６とによる位置決めを行うことができる。
【００７０】
［実施の形態６］
なお、実施の形態１で用いた第１ヒータ８および第２ヒータ９のように、抵抗体９１の一部が蛇行している場合でも、第１ピン端子８３２や第２ピン端子９３２を設けずに、第１ランド８３１および第２ランド９３１を第１端子８３および第２端子９３として両面に形成しておけば、同一構成のヒータを表裏反転させた後、向きを変えることにより、第１ヒータ８および第２ヒータ９として用いることができる。
【００７１】
［他の実施の形態］
上記実施の形態では、第１リード線１１を第１フレーム２の第１切り欠き２３８とケース４のＹ方向の一方側Ｙ１の第１貼付部材１６によって保持したが、第１リード線１１をケース４の２つの面側で固定されている態様を採用してもよい。例えば、第１リード線１１を第１フレーム２の第１切り欠き２３８と第１貼付部材１６によってケース４のＹ方向の一方側Ｙ１で保持するとともに、ケース４のＸ方向の他方側Ｘ２でケース４の側面４１（第１フレーム２の側板部２３１）でも第１貼付部材で保持する態様を採用してもよい。また、上記実施の形態では、第２リード線１２を第２フレーム３の第２切り欠き３３８とケース４のＹ方向の一方側Ｙ１の第２貼付部材１７によって保持したが、第２リード線１
２をケース４の２つの面側で固定されている態様を採用してもよい。例えば、第２リード線１２を第２フレーム３の第２切り欠き３３８と第２貼付部材１７によってケース４のＹ方向の一方側Ｙ１で保持するとともに、ケース４のＸ方向の一方側Ｘ１でケース４の側面４２（第２フレーム３の側板部３３１）でも第２貼付部材で保持する態様を採用してもよい。
【００７２】
上記実施の形態では、第１リード線１１および第２リード線１２を各々、切り欠きと貼付部材とによって保持した形態、あるいは第１リード線１１および第２リード線１２を各々、切り欠きとフックとによって保持した形態を採用した。但し、切り欠きを設けずに、第１リード線１１および第２リード線１２を各々、テープ等の貼付部材によって保持した形態、あるいは第１リード線１１および第２リード線１２をフックによって保持した形態を採用してもよい。また、第１リード線１１および第２リード線１２を貼付部材とフックとによって保持した形態を採用してもよい。この場合、第１リード線１１および第２リード線１２を各々、別の貼付部材（第１貼付部材１６および第２貼付部材１７）で保持してもよいが、１枚の貼付部材で第１リード線１１および第２リード線１２を保持してもよい。また、第１リード線１１および第２リード線１２を各々、別のフック（第１フック４８および第２フック４９）で保持してもよいが、１つのフックで第１リード線１１および第２リード線１２を保持してもよい。
【００７３】
上記実施の形態では、第１フレーム２の側と第２フレーム３側とでは、サイズや形状等の構成が同一であったが、第１フレーム２の側と第２フレーム３側とでは、サイズや形状等の構成が異なる場合に本発明を適用してもよい。
【００７４】
上記実施の形態では、第１フレーム２がケース４に対して第２フレーム３とは反対側に位置していたが、例えば、第１フレーム２がケース４に対してＸ方向に連結し、第２フレーム３がケース４に対してＹ方向に連結しているダンパ装置に本発明を適用してもよい。
【００７５】
上記実施の形態では、第１ヒータ８を第１フレーム２の端板部２２の第１バッフル６側の面に設けたが、第１ヒータ８を第１フレーム２の端板部２２の第１バッフル６とは反対側の面に設けてもよい。また、上記実施の形態では、第２ヒータ９を第２フレーム３の端板部３２の第２バッフル７側の面に設けたが、第２ヒータ９を第２フレーム３の端板部３２の第２バッフル７とは反対側の面に設けてもよい。
【００７６】
また、上記実施の形態では、第１ヒータ８を第１フレーム２に設けたが、第１ヒータ８を第１バッフル６に設けてもよい。また、上記実施の形態では、第２ヒータ９を第２フレーム３に設けたが、第２ヒータ９を第２バッフル７に設けてもよい。
【００７７】
また、上記実施の形態では、第１ヒータ８および第２ヒータ９としてシート状のものを用いたが、棒状あるいは線状のものを用いてもよい。
【００７８】
また、上記実施の形態では、第１貼付部材１６および第２貼付部材１７としてテープを用いたが、粘着材や接着剤等によって貼付されたプレート等を第１貼付部材１６および第２貼付部材１７として用いてもよい。また、粘着材自身や接着剤自身を第１貼付部材１６および第２貼付部材１７として用いてもよい。
【００７９】
また、上記実施の形態では、第１バッフル６および第２バッフル７を共通の駆動源によって駆動する態様であったが、第１バッフル６および第２バッフル７が各々、別の駆動源によって駆動される態様であってもよい。
【００８０】
また、上記実施の形態では、フレームおよびバッフルが２組設けられている態様を説明
したが、フレームおよびバッフルが３組以上設けられている場合に本発明を適用してもよい。この場合、３組以上のフレームおよびバッフルの全てにヒータが設けられている態様を採用してもよく、３組以上のフレームおよびバッフルのうちの一部にヒータが設けられていない態様を採用してもよい。
【符号の説明】
【００８１】
１…ダンパ装置、２…第１フレーム、３…第２フレーム、４…ケース、５…駆動機構、６…第１バッフル、７…第２バッフル、８…第１ヒータ、９…第２ヒータ、１１…第１リード線、１２…第２リード線、１６…第１貼付部材、１７…第２貼付部材、２１…第１開口部、３１…第２開口部、４８…第１フック、４９…第２フック、８１、９１…抵抗体、８３…第１端子、９３…第２端子、２３８、２３９…第１切り欠き、３３８、３３９…第２切り欠き、Ｌ１…第１軸線、Ｌ２…第２軸線
【図１】
2018025338.tif 000003
【図２】
2018025338.tif 000004
【図３】
2018025338.tif 000005
【図４】
2018025338.tif 000006
【図５】
2018025338.tif 000007
【図６】
2018025338.tif 000008
【図７】
2018025338.tif 000009
【図８】
2018025338.tif 000010
【図９】
2018025338.tif 000011